(57)【要約】【課題】  ユーザ端末が権限確認の一連の処理の最後まで関与することなく、保証付きの情報や第三者保証書を複数の保証者から同一手段で同時に入手できるサービス提供契約システム、仲介者サーバ、サービス提供契約方法およびプログラムを提供する。【解決手段】  サービス提供者サーバ２０は、第三者保証の依頼者の本人確認ができる情報を含む保証者アクセス情報と証明事項と回答用暗号鍵とデジタル署名を含む保証依頼書を生成し、それを暗号化し、仲介者サーバ３０に送信する。仲介者サーバ３０は、保証者サーバ４０を検索し、保証依頼書を配信して、すべての回答を結合したデジタル契約書を作成する。【選択図】  図１
2006309328.tif 000002
【特許請求の範囲】
【請求項１】
ネットワークを介して接続されているサービス提供者サーバと、仲介者サーバと、保証者サーバとを含むサービス提供契約システムであって、
前記サービス提供者サーバは、第三者保証の依頼者の本人確認ができる情報を含む保証者アクセス情報と証明事項と回答用暗号鍵とデジタル署名を含む保証依頼書を生成する手段と、
前記保証依頼書を暗号化する手段と、
前記保証依頼書を前記仲介者サーバに送信する手段と、を備え、
前記仲介者サーバは、前記保証者サーバを検索する手段と、
受信した保証依頼書を前記保証者サーバに配信する手段と、
すべての回答を収集する手段と、
すべての回答を結合したデジタル契約書を作成する手段と、
前記デジタル契約書を送信する手段と、
前記デジタル契約書を復号する手段と、を備え、
前記保証者サーバは、保証依頼書を検証する手段と、
保証者情報と保証内容を含む回答を生成する手段と、
回答を暗号化する手段と、を備えることを特徴とするサービス提供契約システム。
【請求項２】
前記サービス提供者サーバは、第三者保証の依頼者の本人確認ができる情報を含む保証者アクセス情報と証明事項と回答用暗号鍵と保証料金決済情報とデジタル署名を含む保証依頼書を生成する手段を備え、
前記仲介者サーバは、保証料金と仲介料金の総額を算出し保証料金決済情報を確認する手段と、
受信した前記保証依頼書に前記保証料金決済情報を付加して前記保証者サーバに配信する手段と、
前記保証料金決済情報で仲介料金を決済する手段と、を備え、
前記保証者サーバは、前記保証料金決済情報で保証料金を決済する手段を備えることを特徴とする請求項１記載のサービス提供契約システム。
【請求項３】
ネットワークを介して接続されているユーザ端末と、サービス提供者サーバと、仲介者サーバと、保証者サーバとを含むサービス提供契約システムであって、
前記サービス提供者サーバは、第三者保証の依頼者の本人確認ができる情報を含む保証者アクセス情報と証明事項と回答用暗号鍵とデジタル署名を含む保証依頼書を生成する手段と、
前記保証依頼書を暗号化する手段と、
前記保証依頼書を前記仲介者サーバに送信する手段と、を備え、
前記仲介者サーバは、前記保証者サーバを検索する手段と、
受信した保証依頼書を前記保証者サーバに配信する手段と、
すべての回答を収集する手段と、
すべての回答を結合したデジタル契約書を作成する手段と、
前記デジタル契約書を送信する手段と、
前記デジタル契約書を復号する手段と、を備え、
前記保証者サーバは、保証依頼書を検証する手段と、
保証者情報と保証内容を含む回答を生成する手段と、
回答を暗号化する手段と、を備え、
前記ユーザ端末は、デジタル契約書を復号する手段を備えることを特徴とするサービス提供契約システム。
【請求項４】
前記サービス提供者サーバは、第三者保証の依頼者の本人確認ができる情報を含む保証者アクセス情報と証明事項と回答用暗号鍵と保証料金決済情報とデジタル署名を含む保証依頼書を生成する手段を備え、
前記仲介者サーバは、保証料金と仲介料金の総額を算出し保証料金決済情報を確認する手段と、
受信した前記保証依頼書に前記保証料金決済情報を付加して前記保証者サーバに配信する手段と、
前記保証料金決済情報で仲介料金を決済する手段と、を備え、
前記保証者サーバは、前記保証料金決済情報で保証料金を決済する手段を備えることを特徴とする請求項３記載のサービス提供契約システム。
【請求項５】
保証者サーバを検索する手段と、
受信した暗号化された第三者保証の依頼者の本人確認ができる情報を含む保証者アクセス情報と証明事項と回答用暗号鍵とデジタル署名を含む保証依頼書を保証者サーバに配信する手段と、
すべての回答を収集する手段と、
すべての回答を結合したデジタル契約書を作成する手段と、
前記デジタル契約書を送信する手段と、
前記デジタル契約書を復号する手段と、を備えることを特徴とする仲介者サーバ。
【請求項６】
ネットワークを介して接続されているサービス提供者サーバと、仲介者サーバと、保証者サーバとを利用したサービス提供契約方法であって、
前記サービス提供者サーバが、第三者保証の依頼者の本人確認ができる情報を含む保証者アクセス情報と証明事項と回答用暗号鍵とデジタル署名を含む保証依頼書を生成するステップと、
前記保証依頼書を暗号化するステップと、
前記保証依頼書を前記仲介者サーバに送信するステップと、を有し、
前記仲介者サーバが、前記保証者サーバを検索するステップと、
受信した保証依頼書を前記保証者サーバに配信するステップと、を有し、
前記保証者サーバが、保証依頼書を検証するステップと、
保証者情報と保証内容を含む回答を生成するステップと、
回答を暗号化するステップと、を有し、
前記仲介者サーバが、すべての回答を収集するステップと、
すべての回答を結合したデジタル契約書を作成するステップと、
前記デジタル契約書を送信するステップと、
前記デジタル契約書を復号するステップと、をさらに有することを特徴とするサービス提供契約方法。
【請求項７】
前記サービス提供者サーバが、第三者保証の依頼者の本人確認ができる情報を含む保証者アクセス情報と証明事項と回答用暗号鍵と保証料金決済情報とデジタル署名を含む保証依頼書を生成するステップをさらに有し、
前記仲介者サーバが、保証料金と仲介料金の総額を算出し保証料金決済情報を確認するステップと、
受信した前記保証依頼書に前記保証料金決済情報を付加して前記保証者サーバに配信するステップと、
前記保証料金決済情報で仲介料金を決済するステップと、をさらに有し、
前記保証者サーバが、前記保証料金決済情報で保証料金を決済するステップをさらに有することを特徴とする請求項６記載のサービス提供契約方法。
【請求項８】
ネットワークを介して接続されているユーザ端末と、サービス提供者サーバと、仲介者サーバと、保証者サーバとを利用したサービス提供契約方法であって、
前記サービス提供者サーバが、第三者保証の依頼者の本人確認ができる情報を含む保証者アクセス情報と証明事項と回答用暗号鍵とデジタル署名を含む保証依頼書を生成するステップと、
前記保証依頼書を暗号化するステップと、
前記保証依頼書を前記仲介者サーバに送信するステップと、を有し、
前記仲介者サーバが、前記保証者サーバを検索するステップと、
受信した保証依頼書を前記保証者サーバに配信するステップと、を有し、
前記保証者サーバが、保証依頼書を検証するステップと、
保証者情報と保証内容を含む回答を生成するステップと、
回答を暗号化するステップと、を有し、
前記仲介者サーバが、すべての回答を収集するステップと、
すべての回答を結合したデジタル契約書を作成するステップと、
前記デジタル契約書を送信するステップと、
前記デジタル契約書を復号するステップと、をさらに有し、
前記ユーザ端末が、デジタル契約書を復号するステップを有することを特徴とするサービス提供契約方法。
【請求項９】
前記サービス提供者サーバが、第三者保証の依頼者の本人確認ができる情報を含む保証者アクセス情報と証明事項と回答用暗号鍵と保証料金決済情報とデジタル署名を含む保証依頼書を生成するステップをさらに有し、
前記仲介者サーバが、保証料金と仲介料金の総額を算出し保証料金決済情報を確認するステップと、
受信した前記保証依頼書に前記保証料金決済情報を付加して前記保証者サーバに配信するステップと、
前記保証料金決済情報で仲介料金を決済するステップと、をさらに有し、
前記保証者サーバが、前記保証料金決済情報で保証料金を決済するステップをさらに有することを特徴とする請求項８記載のサービス提供契約方法。
【請求項１０】
サービス提供者サーバに、第三者保証の依頼者の本人確認ができる情報を含む保証者アクセス情報と証明事項と回答用暗号鍵とデジタル署名を含む保証依頼書を生成するステップと、
前記保証依頼書を暗号化するステップと、
前記保証依頼書を前記仲介者サーバに送信するステップと、を実行させ、
前記仲介者サーバに、前記保証者サーバを検索するステップと、
受信した保証依頼書を前記保証者サーバに配信するステップと、を実行させ、
前記保証者サーバに、保証依頼書を検証するステップと、
保証者情報と保証内容を含む回答を生成するステップと、
回答を暗号化するステップと、を実行させ、
前記仲介者サーバに、すべての回答を収集するステップと、
すべての回答を結合したデジタル契約書を作成するステップと、
前記デジタル契約書を送信するステップと、
前記デジタル契約書を復号するステップと、をさらに実行させることを特徴とするプログラム。
【請求項１１】
前記サービス提供者サーバに、第三者保証の依頼者の本人確認ができる情報を含む保証者アクセス情報と証明事項と回答用暗号鍵と保証料金決済情報とデジタル署名を含む保証依頼書を生成するステップをさらに実行させ、
前記仲介者サーバに、保証料金と仲介料金の総額を算出し保証料金決済情報を確認するステップと、
受信した前記保証依頼書に前記保証料金決済情報を付加して前記保証者サーバに配信するステップと、
前記保証料金決済情報で仲介料金を決済するステップと、をさらに実行させ、
前記保証者サーバに、前記保証料金決済情報で保証料金を決済するステップをさらに実行させることを特徴とする請求項１０記載のプログラム。
【請求項１２】
サービス提供者サーバに、第三者保証の依頼者の本人確認ができる情報を含む保証者アクセス情報と証明事項と回答用暗号鍵とデジタル署名を含む保証依頼書を生成するステップと、
前記保証依頼書を暗号化するステップと、
前記保証依頼書を前記仲介者サーバに送信するステップと、を実行させ、
前記仲介者サーバに、前記保証者サーバを検索するステップと、
受信した保証依頼書を前記保証者サーバに配信するステップと、を実行させ、
前記保証者サーバに、保証依頼書を検証するステップと、
保証者情報と保証内容を含む回答を生成するステップと、
回答を暗号化するステップと、を実行させ、
前記仲介者サーバに、すべての回答を収集するステップと、
すべての回答を結合したデジタル契約書を作成するステップと、
前記デジタル契約書を送信するステップと、
前記デジタル契約書を復号するステップと、をさらに実行させ、
前記ユーザ端末に、前記デジタル契約書を復号するステップを実行させることを特徴とするプログラム。
【請求項１３】
前記サービス提供者サーバに、第三者保証の依頼者の本人確認ができる情報を含む保証者アクセス情報と証明事項と回答用暗号鍵と保証料金決済情報とデジタル署名を含む保証依頼書を生成するステップをさらに実行させ、
前記仲介者サーバに、保証料金と仲介料金の総額を算出し保証料金決済情報を確認するステップと、
受信した前記保証依頼書に前記保証料金決済情報を付加して前記保証者サーバに配信するステップと、
前記保証料金決済情報で仲介料金を決済するステップと、をさらに実行させ、
前記保証者サーバに、前記保証料金決済情報で保証料金を決済するステップをさらに実行させることを特徴とする請求項１２記載のプログラム。
【発明の詳細な説明】
【技術分野】
【０００１】
本発明は、サービス提供およびサービス受益に関して、提供者と注文者の間で交わされる契約情報の第三者保証を一度の依頼を受けて一つの契約書にまとめて提供することができるサービス提供契約システム、仲介者サーバ、サービス提供契約方法およびプログラムに関する。
【背景技術】
【０００２】
従来の売買契約や役務契約に際して、そのサービスを受けたり、提供するための資格や能力があるかどうかを確認する方法は統一されておらず多様である。
【０００３】
例えば、不動産売買では、購入能力を保証するのはローンを組んだ銀行が行ない、販売者が不動産を所有していることは登記所で登記簿によって確認する等、保証の書式や、料金の精算が異なる上、保証申請場所が離れているため保証の入手や確認に手間や時間が掛かり、証明取得の省略による詐称や契約の手間とコストの増加の原因となることがあった。
【０００４】
そこで、インターネットを介して、各種の保証情報を入手する方法もそれぞれ個別に提供されつつあり、保証を得るための時間の短縮や保証取得コストは改善されてきている。
【０００５】
ここで、ユーザ端末は、サービス提供サーバから送信されてきた権限要求を基に、権限証明要求を生成して複数の権限保証サーバに送信し、複数の権限証明サーバは、権限証明要求に対して、ブラインド署名を施し、当該ユーザを特定する予め定めておいた一意な情報に電子署名を施して生成した権限証明応答をユーザ端末に返信し、ユーザ端末は、複数の権限証明応答に含まれるブラインド署名を復号して置き換え、各権限証明応答を組み合わせて、権限応答を生成してサービス提供サーバに送信し、サービス提供サーバは、権限応答に含まれる複数の一意な情報を比較し、すべてが一致するときにサービスの提供を許可することで、ネットワーク上で特定の権限を持つユーザに対してのみサービスを提供したいサービス提供者と、匿名性を保ったまま上記サービスを利用したい利用者に対し、匿名性を保ったままで利用者の権限を確認することができる技術が提案されている（例えば、特許文献１参照）。
【特許文献１】特開２００３−３３８８１３号公報
【発明の開示】
【発明が解決しようとする課題】
【０００６】
しかしながら、上述した従来例においては次のような問題点があった。
【０００７】
ユーザ端末ではなく仲介者が送信する方法であるため、ユーザ端末が権限確認の一連の処理の最後まで関与しなければならない。
【０００８】
したがって、保証される情報が、リアルタイムに変動する預金残高情報や位置情報等である場合には、ユーザの手続きが煩雑であった。
【０００９】
そこで、本発明は、ユーザ端末が権限確認の一連の処理の最後まで関与することなく、保証付きの情報や第三者保証書を複数の保証者から同一手段で同時に入手できるサービス提供契約システム、仲介者サーバ、サービス提供契約方法およびプログラムを提供することを目的とする。
【課題を解決するための手段】
【００１０】
請求項１記載の発明は、ネットワークを介して接続されているサービス提供者サーバと、仲介者サーバと、保証者サーバとを含むサービス提供契約システムであって、サービス提供者サーバは、第三者保証の依頼者の本人確認ができる情報を含む保証者アクセス情報と証明事項と回答用暗号鍵とデジタル署名を含む保証依頼書を生成する手段と、保証依頼書を暗号化する手段と、保証依頼書を仲介者サーバに送信する手段とを備え、仲介者サーバは、保証者サーバを検索する手段と、受信した保証依頼書を保証者サーバに配信する手段と、すべての回答を収集する手段と、すべての回答を結合したデジタル契約書を作成する手段と、デジタル契約書を送信する手段と、デジタル契約書を復号する手段とを備え、保証者サーバは、保証依頼書を検証する手段と、保証者情報と保証内容を含む回答を生成する手段と、回答を暗号化する手段とを備えることを特徴とするサービス提供契約システムである。
【００１１】
請求項２記載の発明は、請求項１記載のサービス提供契約システムにおいて、サービス提供者サーバは、第三者保証の依頼者の本人確認ができる情報を含む保証者アクセス情報と証明事項と回答用暗号鍵と保証料金決済情報とデジタル署名を含む保証依頼書を生成する手段を備え、仲介者サーバは、保証料金と仲介料金の総額を算出し保証料金決済情報を確認する手段と、受信した保証依頼書に保証料金決済情報を付加して保証者サーバに配信する手段と、保証料金決済情報で仲介料金を決済する手段とを備え、保証者サーバは、保証料金決済情報で保証料金を決済する手段を備えることを特徴とする。
【００１２】
請求項３記載の発明は、ネットワークを介して接続されているユーザ端末と、サービス提供者サーバと、仲介者サーバと、保証者サーバとを含むサービス提供契約システムであって、サービス提供者サーバは、第三者保証の依頼者の本人確認ができる情報を含む保証者アクセス情報と証明事項と回答用暗号鍵とデジタル署名を含む保証依頼書を生成する手段と、保証依頼書を暗号化する手段と、保証依頼書を仲介者サーバに送信する手段とを備え、仲介者サーバは、保証者サーバを検索する手段と、受信した保証依頼書を保証者サーバに配信する手段と、すべての回答を収集する手段と、すべての回答を結合したデジタル契約書を作成する手段と、デジタル契約書を送信する手段と、デジタル契約書を復号する手段とを備え、保証者サーバは、保証依頼書を検証する手段と、保証者情報と保証内容を含む回答を生成する手段と、回答を暗号化する手段とを備え、ユーザ端末は、デジタル契約書を復号する手段を備えることを特徴とするサービス提供契約システムである。
【００１３】
請求項４記載の発明は、請求項３記載のサービス提供契約システムにおいて、サービス提供者サーバは、第三者保証の依頼者の本人確認ができる情報を含む保証者アクセス情報と証明事項と回答用暗号鍵と保証料金決済情報とデジタル署名を含む保証依頼書を生成する手段を備え、仲介者サーバは、保証料金と仲介料金の総額を算出し保証料金決済情報を確認する手段と、受信した保証依頼書に保証料金決済情報を付加して保証者サーバに配信する手段と、保証料金決済情報で仲介料金を決済する手段とを備え、保証者サーバは、保証料金決済情報で保証料金を決済する手段を備えることを特徴とする。
【００１４】
請求項５記載の発明は、保証者サーバを検索する手段と、受信した暗号化された第三者保証の依頼者の本人確認ができる情報を含む保証者アクセス情報と証明事項と回答用暗号鍵とデジタル署名を含む保証依頼書を保証者サーバに配信する手段と、すべての回答を収集する手段と、すべての回答を結合したデジタル契約書を作成する手段と、デジタル契約書を送信する手段と、デジタル契約書を復号する手段とを備えることを特徴とする仲介者サーバである。
【００１５】
請求項６記載の発明は、ネットワークを介して接続されているサービス提供者サーバと、仲介者サーバと、保証者サーバとを利用したサービス提供契約方法であって、サービス提供者サーバが、第三者保証の依頼者の本人確認ができる情報を含む保証者アクセス情報と証明事項と回答用暗号鍵とデジタル署名を含む保証依頼書を生成するステップと、保証依頼書を暗号化するステップと、保証依頼書を仲介者サーバに送信するステップとを有し、仲介者サーバが、保証者サーバを検索するステップと、受信した保証依頼書を保証者サーバに配信するステップとを有し、保証者サーバが、保証依頼書を検証するステップと、保証者情報と保証内容を含む回答を生成するステップと、回答を暗号化するステップとを有し、仲介者サーバが、すべての回答を収集するステップと、すべての回答を結合したデジタル契約書を作成するステップと、デジタル契約書を送信するステップと、デジタル契約書を復号するステップとをさらに有することを特徴とするサービス提供契約方法である。
【００１６】
請求項７記載の発明は、請求項６記載のサービス提供契約方法において、サービス提供者サーバが、第三者保証の依頼者の本人確認ができる情報を含む保証者アクセス情報と証明事項と回答用暗号鍵と保証料金決済情報とデジタル署名を含む保証依頼書を生成するステップをさらに有し、仲介者サーバが、保証料金と仲介料金の総額を算出し保証料金決済情報を確認するステップと、受信した保証依頼書に保証料金決済情報を付加して保証者サーバに配信するステップと、保証料金決済情報で仲介料金を決済するステップとをさらに有し、保証者サーバが、保証料金決済情報で保証料金を決済するステップをさらに有することを特徴とする。
【００１７】
請求項８記載の発明は、ネットワークを介して接続されているユーザ端末と、サービス提供者サーバと、仲介者サーバと、保証者サーバとを利用したサービス提供契約方法であって、サービス提供者サーバが、第三者保証の依頼者の本人確認ができる情報を含む保証者アクセス情報と証明事項と回答用暗号鍵とデジタル署名を含む保証依頼書を生成するステップと、保証依頼書を暗号化するステップと、保証依頼書を仲介者サーバに送信するステップとを有し、仲介者サーバが、保証者サーバを検索するステップと、受信した保証依頼書を保証者サーバに配信するステップとを有し、保証者サーバが、保証依頼書を検証するステップと、保証者情報と保証内容を含む回答を生成するステップと、回答を暗号化するステップとを有し、仲介者サーバが、すべての回答を収集するステップと、すべての回答を結合したデジタル契約書を作成するステップと、デジタル契約書を送信するステップと、デジタル契約書を復号するステップとをさらに有し、ユーザ端末が、デジタル契約書を復号するステップを有することを特徴とするサービス提供契約方法である。
【００１８】
請求項９記載の発明は、請求項８記載のサービス提供契約方法において、サービス提供者サーバが、第三者保証の依頼者の本人確認ができる情報を含む保証者アクセス情報と証明事項と回答用暗号鍵と保証料金決済情報とデジタル署名を含む保証依頼書を生成するステップをさらに有し、仲介者サーバが、保証料金と仲介料金の総額を算出し保証料金決済情報を確認するステップと、受信した保証依頼書に保証料金決済情報を付加して保証者サーバに配信するステップと、保証料金決済情報で仲介料金を決済するステップとをさらに有し、保証者サーバが、保証料金決済情報で保証料金を決済するステップをさらに有することを特徴とする。
【００１９】
請求項１０記載の発明は、サービス提供者サーバに、第三者保証の依頼者の本人確認ができる情報を含む保証者アクセス情報と証明事項と回答用暗号鍵とデジタル署名を含む保証依頼書を生成するステップと、保証依頼書を暗号化するステップと、保証依頼書を仲介者サーバに送信するステップとを実行させ、仲介者サーバに、保証者サーバを検索するステップと、受信した保証依頼書を保証者サーバに配信するステップとを実行させ、保証者サーバに、保証依頼書を検証するステップと、保証者情報と保証内容を含む回答を生成するステップと、回答を暗号化するステップとを実行させ、仲介者サーバに、すべての回答を収集するステップと、すべての回答を結合したデジタル契約書を作成するステップと、デジタル契約書を送信するステップと、デジタル契約書を復号するステップとをさらに実行させることを特徴とするプログラムである。
【００２０】
請求項１１記載の発明は、請求項１０記載のプログラムにおいて、サービス提供者サーバに、第三者保証の依頼者の本人確認ができる情報を含む保証者アクセス情報と証明事項と回答用暗号鍵と保証料金決済情報とデジタル署名を含む保証依頼書を生成するステップをさらに実行させ、仲介者サーバに、保証料金と仲介料金の総額を算出し保証料金決済情報を確認するステップと、受信した保証依頼書に保証料金決済情報を付加して保証者サーバに配信するステップと、保証料金決済情報で仲介料金を決済するステップとをさらに実行させ、保証者サーバに、保証料金決済情報で保証料金を決済するステップをさらに実行させることを特徴とする。
【００２１】
請求項１２記載の発明は、サービス提供者サーバに、第三者保証の依頼者の本人確認ができる情報を含む保証者アクセス情報と証明事項と回答用暗号鍵とデジタル署名を含む保証依頼書を生成するステップと、保証依頼書を暗号化するステップと、保証依頼書を仲介者サーバに送信するステップとを実行させ、仲介者サーバに、保証者サーバを検索するステップと、受信した保証依頼書を保証者サーバに配信するステップとを実行させ、保証者サーバに、保証依頼書を検証するステップと、保証者情報と保証内容を含む回答を生成するステップと、回答を暗号化するステップとを実行させ、仲介者サーバに、すべての回答を収集するステップと、すべての回答を結合したデジタル契約書を作成するステップと、デジタル契約書を送信するステップと、デジタル契約書を復号するステップとをさらに実行させ、ユーザ端末に、デジタル契約書を復号するステップを実行させることを特徴とするプログラムである。
【００２２】
請求項１３記載の発明は、請求項１２記載のプログラムにおいて、サービス提供者サーバに、第三者保証の依頼者の本人確認ができる情報を含む保証者アクセス情報と証明事項と回答用暗号鍵と保証料金決済情報とデジタル署名を含む保証依頼書を生成するステップをさらに実行させ、仲介者サーバに、保証料金と仲介料金の総額を算出し保証料金決済情報を確認するステップと、受信した保証依頼書に保証料金決済情報を付加して保証者サーバに配信するステップと、保証料金決済情報で仲介料金を決済するステップとをさらに実行させ、保証者サーバに、保証料金決済情報で保証料金を決済するステップをさらに実行させることを特徴とする。
【発明の効果】
【００２３】
本発明のサービス提供契約システム、仲介者サーバ、サービス提供契約方法およびプログラムによれば、ユーザ端末が権限確認の一連の処理の最後まで関与することなく、保証付きの情報や第三者保証書を複数の保証者から同一手段で同時に入手できる。
【発明を実施するための最良の形態】
【００２４】
次に、本発明の一実施の形態について図を参照して詳細に説明する。
【００２５】
図１を参照すると、本実施の形態のサービス提供契約システムは、ユーザ端末１０と、サービス提供者サーバ２０と、仲介者サーバ３０と、保証者サーバａ４０と、保証者サーバｂ４１とから構成されている。これらのユーザ端末１０、サービス提供者サーバ２０、仲介者サーバ３０、保証者サーバａ４０、保証者サーバｂ４１はプログラム制御により動作し、ネットワーク１００を介して相互に接続されている。ネットワーク１００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。ただし、ユーザ端末１０とサービス提供者サーバ２０は、保証者サーバａ４０、保証者サーバｂ４１と直接通信できる必要はない。
【００２６】
本実施の形態では、保証者サーバは２つであるが、第三者保証を与えたい情報種類の数等に応じて、１つだけ、または、３つ以上であってもよい。
【００２７】
また、本実施の形態では、ユーザ端末１０は、保証者サーバａ４０に、サービス提供者サーバ２０は、保証者サーバｂ４１に、それぞれあらかじめ自己の情報を預けておき、後に自己情報の正当性の第三者保証を依頼するためのアクセス方法、暗号化情報、預託された情報の保証条件等を決定しておくものとする。
【００２８】
なお、預託された情報の保証条件とは、例えば、決済能力があるという自己情報の保証の場合、要求する金額の決済可否をＯＫ／ＮＧで回答し、決済可能な残高そのものの問い合わせには回答しない、ただし、本人と登録された代理人からの保証依頼には残高を回答する等、情報開示範囲や応答方法の取り決めである。
【００２９】
預託しておく情報には、資格取得番号、実際に居住していることが確認されている住所等の固定情報や、預金残高やセンサ位置情報等のリアルタイムに変動する情報等があるが、何の情報も預けておかず、アクセス方法や暗号化情報、保証する内容や条件等の保証取り決めのみを行なうことも可能である。
【００３０】
何も情報を預けない例を挙げると、保証依頼時に指定する期日と届け先住所に荷物の配達が可能であるという能力を保証する場合等がある。この例のような場合、保証者サーバへのアクセス方法や暗号化情報、保証する内容や条件等が、公開されており信用できる環境であれば、事前に一切の保証取り決めを行なわず、仲介者サーバ３０やユーザ端末１０、サービス提供者サーバ２０が、第三者保証が必要になった局面で保証者サーバを動的に検索して決定することも可能である。
【００３１】
ユーザ端末１０は、パーソナルコンピュータ等の情報処理装置であり、サービス提供者サーバ２０が与えるサービス情報にアクセスし、そのサービス情報を画面表示したり、音声読み上げする等のユーザ向け出力機能を備えている。
【００３２】
ここで、サービス情報とは、例えば、販売する製品や提供する役務、ユーザの申し込みにより得られる資格や特典等サービス内容に関する情報であり、製品・サービス名称、価格、申し込み資格、サービス提供のために第三者保証を要求する証明事項名、サービス提供者自身の正当性を示すために第三者保証を提示する証明事項名のようなサービス提供条件等を含む。
【００３３】
また、ユーザ端末１０は、注文者が入力した、注文者が希望するサービスの前記サービス情報であるサービス注文情報をサービス提供者サーバ２０に送信する機能を備えている。さらに、保証者サーバａ４０に第三者保証を依頼するための保証依頼書をサービス提供者サーバ２０から受信し、受信した保証依頼書に、保証者サーバa４０へのアクセス方法を示す保証者アクセス情報および保証依頼する内容を示す証明事項（例えば、決済可能であることを保証するための購入金額とクレジット番号等）、保証料金決済情報を追加する機能と、保証依頼書を暗号化する機能と、保証依頼書にデジタル署名を付加する機能と、保証依頼書をサービス提供者サーバ２０または仲介者サーバ３０に送信する機能を備えている。
【００３４】
なお、前記の保証依頼書の一つの情報か複数の情報の組み合わせを参照して、保証者サーバａ４０が依頼者の本人性を確認できるものとする。保証者サーバが複数ある場合は、保証者アクセス情報にはすべての保証者サーバの情報を含む。
【００３５】
また、保証者サーバａ４０が回答を暗号化するための回答用暗号鍵を生成もしくは与えられた回答用暗号鍵を管理し、回答用暗号鍵を保証依頼書に追加する機能を備える。
【００３６】
回答用暗号鍵を生成した場合は、回答を解読するためにサービス提供者サーバ２０と回答用暗号鍵の情報を共有しておく。
【００３７】
保証依頼書の暗号化では、保証者サーバａ４０、サービス提供者サーバ２０、仲介者サーバ３０のそれぞれに対して、知られても良い部分のみ読めるように、暗号化を行なう。ただし、保証者サーバａ４０に対しては、証明事項とデジタル署名、回答用暗号鍵を最低限読めるようにし、仲介者サーバ３０に対しては、保証者アクセス情報と保証料金決済情報とデジタル署名を最低限読めるようにする。
【００３８】
サービス提供者サーバ２０は、製品の販売や役務の提供、ユーザの申し込みに基づく会員登録等を行っている事業者によって設置されるＷｅｂサーバ等の情報処理装置であり、ユーザ端末１０が送信したサービス注文情報を受信して、保証依頼書を生成する機能と、保証依頼書をユーザ端末１０に送信する機能を備えている。
【００３９】
保証依頼書には、ユーザ端末１０から受信したサービス情報から生成する保証依頼情報と、サービス提供者自身に関して第三者保証を依頼する内容を示す証明事項の内容（例えば、営業許可書の番号や販売する土地の登記番号等）と、保証者サーバｂ４１へのアクセス方法を示す保証者アクセス情報と、保証料金決済情報を含む。なお、前記の保証依頼書の一つの情報か複数の情報の組み合わせを参照して、保証者サーバｂ４１が依頼者の本人性を確認できるものとする。
【００４０】
保証者サーバが複数ある場合は、保証者アクセス情報にはすべての保証者サーバの情報を含む。サービス提供者サーバ２０は、保証依頼書を暗号化する機能と、保証依頼書にデジタル署名を付加する機能を備える。また、保証者サーバｂ４１が回答を暗号化するための回答用暗号鍵を生成もしくは与えられた回答用暗号鍵を管理し、回答用暗号鍵を保証依頼書に追加する機能を備える。回答用暗号鍵を生成した場合は、回答を解読するためにユーザ端末１０と回答用暗号鍵の情報を共有しておく。保証依頼書の暗号化では、保証者サーバｂ４１、ユーザ端末１０、仲介者サーバ３０のそれぞれに対して、知られても良い部分のみ読めるように、暗号化を行なう。ただし、保証者サーバｂ４１に対しては、証明事項とデジタル署名、回答用暗号鍵を最低限読めるようにし、仲介者サーバ３０に対しては、保証者アクセス情報と保証料金決済情報とデジタル署名を最低限読めるようにする。
【００４１】
ユーザ端末１０が処理した保証依頼書をサービス提供者サーバ２０に返送する場合は、サービス提供者サーバ２０が仲介者サーバ３０に保証依頼書を送信する機能も備える。さらにサービス提供者サーバ２０は、仲介者サーバ３０から契約書を受信する機能と、契約書を復号する機能を備え、必要に応じて、契約書のデジタル署名を検証する機能も備える。
【００４２】
仲介者サーバ３０は、ユーザ端末１０、または、サービス提供者サーバ２０から保証依頼書を受信し、デジタル署名の検証等の保証依頼書の正当性を確認する機能を備える情報処理装置である。
【００４３】
仲介者サーバ３０は、保証者アクセス情報から保証者サーバａ４０と保証者サーバｂ４１へのアクセス方法を決定し、各保証者サーバが要求する保証料金を取得して、ユーザ端末１０とサービス提供者サーバ２０のそれぞれが支払うべき保証料金総額を算出する機能を備える。
【００４４】
保証者サーバａ４０と保証者サーバｂ４１へのアクセス方法の決定や保証料金の取得では、保証者アクセス情報の全部または一部を検索キーとして、仲介者サーバ３０にあらかじめ与えられた固定情報を参照する方法と仲介者サーバ３０の外部に問い合わせて検出する方法、保証者アクセス情報にアクセス方法そのものを記述する方法等がある。保証者サーバは保証料金を要求しないこともある。保証料金総額には、仲介者サーバ３０自身が受け取る仲介料金を含めても良い。さらに、ユーザ端末１０とサービス提供者サーバ２０が付加した保証料金決済情報でそれぞれの保証料金総額が決済できるか判定する機能を備える。必要に応じて、保証料金をユーザ端末１０やサービス提供者サーバ２０に通知して、支払いの最終確認を行なったり、不足金額の決済情報を取得する機能を備える。
【００４５】
また、保証依頼書を分割してもしくは保証依頼書全体に対して、それぞれの保証者サーバが要求する保証料金があれば、決済する保証料金決済情報を付加し、保証者サーバａ４０と保証者サーバｂ４１のそれぞれに送信する機能と、保証者サーバａ４０と保証者サーバｂ４１からの回答を受信して、すべての回答を一つに結合してデジタル契約書を作成する機能を備える。
【００４６】
必要に応じて、保証者サーバａ４０と保証者サーバｂ４１の回答のデジタル署名を検証する等の正当性確認機能や、デジタル契約書の作成時にデジタル署名を付加する機能を備える。さらに、デジタル契約書をサービス提供者サーバ２０とユーザ端末１０の両方、もしくは、一方に送信する機能か、デジタル契約書を保存しておきサービス提供者サーバ２０やユーザ端末１０からの要求によってデジタル契約書を送信する機能を備える。
【００４７】
保証者サーバａ４０は、仲介者サーバ３０から保証依頼書を受信する機能と、事前もしくは公開している暗号化に関する保証取り決めにしたがって保証依頼書を復号する機能と、保証料金を要求する場合は、保証料金決済情報で保証料金が決済可能か判断する機能を備える情報処理装置である。
【００４８】
必要に応じて、デジタル署名や証明事項の検証によって保証依頼書の正当性を検証する機能も備える。さらに、事前もしくは公開している保証取り決めに基づいて、第三者保証を与えるかどうか判定し、回答を作成する機能と、保証依頼書から取り出した回答用暗号鍵で回答を暗号化する機能と、回答にデジタル署名を付加する機能と仲介者サーバ３０に回答を送信する機能を備える。
【００４９】
保証者サーバｂ４１は、保証者サーバａ４０と同じ機能を備える。
【００５０】
次に、図２を参照して本実施の形態の動作のフローについて詳細に説明する。
【００５１】
まず、注文者が利用するユーザ端末１０は、サービス提供者サーバ２０にアクセスする（ステップＡ１）。例えば、あるブランドの提携販売サイトのギフト注文サービスページにアクセスする。
【００５２】
次に、サービス提供者サーバ２０は、提供するサービスの条件と、サービス提供契約にあたって注文者とサービス提供者自身が相互に第三者保証を要求する証明事項をユーザ端末１０に送信する（ステップＡ２）。
【００５３】
ユーザ端末１０では、受信したサービス条件や第三者保証を要求する証明事項が画面に表示され、注文者が希望するサービスを選択すると、ユーザ端末１０から選択したサービスの種類がサービス提供者サーバ２０に送信される（ステップＡ３）。例えば、提供サービスの条件であるギフト商品と価格の一覧と、サービス提供者自身の証明事項として、正当なブランド提携店であることをブランド本社が第三者証明することと、注文者の証明事項として、有効なサービス料金支払い手段を第三者証明付きでの提示を要求することが表示され、注文者が選択するとブランドギフトセットＡという品名がサービス提供者サーバ２０に送信される。
【００５４】
次に、サービス提供者サーバ２０とユーザ端末１０の間で回答用暗号鍵を決定する（ステップＡ４）。回答用暗号鍵の共有は、サービス提供者サーバ２０で鍵または鍵生成用秘密を生成してユーザ端末１０に送るか、逆にユーザ端末１０で生成してサービス提供サーバ２０に送るか、あるいは、既に保持している鍵の再利用等、相互に同じ鍵が共有できればいかなる方法で行なってもよい。
【００５５】
そして、サービス提供者サーバ２０は、受信したサービスの種類に対応するサービス条件から保証依頼書の文面作成と、暗号化と、保証料金決済情報の付加と、デジタル署名を行なって保証依頼書を作成し、ユーザ端末１０に送信する（ステップＡ５）。
【００５６】
例えば、図３の上半分に示すように、保証者アクセス情報として、ブランド本社の第三者保証機関である保証者サーバｂ４１のＵＲＬを記述し、サービス提供者の証明事項として、店名とサイト識別番号を記述し、ステップＡ４で決定した回答用暗号鍵を添付して、保証料金決済情報として、ブランド本店の保証料金と仲介者サーバ３０の仲介料金を合わせた金額のデジタルキャッシュ情報を付加する。このとき、第三者保証に関係なく契約書に記載したい契約書用メッセージとして品名等を付加する。さらに、サービス提供者の証明事項と回答用暗号鍵の部分を、保証者サーバｂ４１だけが復号できる暗号鍵で、契約書用メッセージの部分を回答用暗号鍵で、それぞれ暗号化する。これにより、契約の内容は仲介者サーバ３０や、第三者保証に無関係の者に解読不可能にする。そして、すべてのデータに対するデジタル署名を付加して、全文を保証依頼書としてユーザ端末１０に送信する。
【００５７】
ユーザ端末１０では、受信した保証依頼書に、保証依頼書の文面追加と、暗号化と、保証料金決済情報の付加と、デジタル署名を行なって保証依頼書を完成し、サービス提供者サーバ２０に送信する（ステップＡ６）。
【００５８】
例えば、図３の下半分に示すように、保証者アクセス情報として、クレジット会社名を記述し、注文者の証明事項として、クレジット会社に登録した会員アカウントとパスワード、金額を記述し、ステップＡ４で決定した回答用暗号鍵を添付する。保証料金も仲介料金も注文者の負担がないとして、保証料金決済情報は付加しない。さらに、注文者の証明事項と回答用暗号鍵の部分を、保証者サーバａ４０だけが復号できる暗号鍵で暗号化する。これにより、契約の内容は仲介者サーバ３０や、第三者保証に無関係の者に解読不可能にする。そして、注文者が追加したデータに対するデジタル署名を付加して、全文をサービス提供者サーバ２０に送信する。
【００５９】
サービス提供者サーバ２０は、受信した保証依頼書を仲介者サーバ３０に送信する（ステップＡ７）。
【００６０】
仲介者サーバ３０では、必要に応じて、デジタル署名の検証等の確認を行ない、保証者アクセス情報を利用して保証者サーバａ４０と保証者サーバｂ４１のアクセス方法を検索し（ステップＡ８）、保証者サーバａ４０と保証者サーバｂ４１の保証料金を取得し、仲介料金を加えて、サービス提供者と注文者の支払う金額をそれぞれ算出する（ステップＡ９）。
【００６１】
図３の例では、保証者サーバｂ４１については、保証者アクセス情報から直接ＵＲＬ情報を入手する。保証者サーバａ４０については、保証者アクセス情報のクレジット会社名をキーにして、ローカルに保存しておいたアドレス表や、ＤＮＳのような外部の検索システムから保証者サーバａ４０のＵＲＬを入手する。そして、保証者アクセス情報や取得したＵＲＬをキーにして、ローカルに保存しておいた料金表や、外部の料金検索システムから、保証者サーバａ４０は無料、保証者サーバｂ４１は保証料金を徴収のような情報を取得する。仲介サーバ３０のルールにより仲介料金はサービス提供者側からのみ徴収することとすれば、サービス提供者の保証料金総額＝保証料金＋仲介料金、注文者は無料、と算出される。仲介者サーバ３０は、保証料金決済情報を参照して、それぞれの保証料金総額が決済できるか判定する（ステップＡ１０）。
【００６２】
例えば、図３のサービス提供者の証明事項に含まれる保証料金決済情報のデジタルキャッシュの金額が保証料金総額と同じであることを確認する。ここで、金額に過不足がある等、保証料金決済情報の修正の必要があれば、サービス提供者サーバ２０に保証料金の過不足を通知して、保証料金決済情報を変更することも可能である。保証依頼書の提出者ではない注文者にも保証料金の通知を行なう場合は、サービス提供者サーバ２０から通知するか、保証依頼書にユーザ端末１０の通知先等も付加しておいて仲介者サーバ３０が通知することが考えられる。
【００６３】
仲介者サーバ３０は、保証者サーバａ４０と保証者サーバｂ４１に最低限必要な部分が含まれるように保証依頼書を送付する。その際、必要な保証料金が決済できる保証料金決済情報を付加する（ステップＡ１１）。
【００６４】
図３の例では、それぞれの保証者サーバに知られたくない部分が読めないように暗号化が行なわれているので、保証者サーバａ４０と保証者サーバｂ４１の両方に保証依頼書全文を送付しても構わないし、必要な部分ごとに分割して送付してもよい。保証者サーバｂ４１には、仲介者サーバ３０を運営している事業者からブランド本社に対して保証料金に相当する金額を支払うための保証料金決済情報を付加する。つまり、仲介者サーバ３０は、保証依頼者からの保証料金をまとめて受け取り、各保証者への支払いを代行する。
【００６５】
保証者サーバａ４０と保証者サーバｂ４１は、保証依頼書を復号して依頼内容を解読し、必要に応じて、保証料金決済情報で保証料金が決済可能か確認し（ステップＡ１２）、回答メッセージを作成して、回答用暗号鍵による暗号化とデジタル署名を行って、仲介者サーバ３０に送付する（ステップＡ１３）。
【００６６】
回答メッセージには、後で保証者の身元の正当性等を確認するためのアドレスや証明書等の保証者確認情報と第三者保証を与える保証内容を含む。例えば、保証者サーバｂ４１は、定めた保証料金の決済が可能か確認した後、店名とサイト識別番号とデジタル署名等からブランド提携店であることが確認できたら、保証者情報として保証者サーバｂ４１の確認用ＵＲＬを記述し、保証内容として店名やサイト識別番号等を記述して、保証者情報と保証内容の両方を回答用暗号鍵で暗号化し、デジタル署名を付加する。
【００６７】
保証者サーバａ４０は、会員アカウントとパスワード、デジタル署名等から、注文者がクレジットカードの正当な利用者であり、かつ、指定金額が決済可能であることを確認できたら、保証者情報を記述し、保証内容として一度だけ決済ができるワンタイムクレジット番号等を記述して、暗号化やデジタル署名の付加を行なう。保証依頼書の内容に会員アカウントやパスワード等、保証性を高めるために必要な情報や、サービス料金の決済等のサービス実行に必要な情報ではあるが、他者に悪用されうる情報が含まれる場合等、重要な情報を開示しないで、後の処理が継続可能でかつ安全性の高い他の情報に変えて回答してもよい。
【００６８】
仲介者サーバ３０は、保証者サーバａ４０と保証者サーバｂ４１から、すべての保証依頼に対する回答を収集し、すべての回答を一つに結合してデジタル契約書を作成する（ステップＡ１４）。
【００６９】
必要に応じて、回答のデジタル署名の検証や、保証依頼書に含まれていた契約書用メッセージの追加や、デジタル署名の付加や、デジタル契約書の保存を行なう。例えば、図４を参照すると、保証依頼書に含まれていた契約書用メッセージと保証者サーバｂ４１の回答と保証者サーバａ４０の回答を並べて一つにし、デジタル署名を付加して、デジタル契約書とする。仲介者サーバ３０は、保証依頼書を送ってきたサービス提供者サーバ２０に、デジタル契約書を返送する（ステップＡ１５）。デジタル契約書をユーザ端末１０やその他のあて先に送信したい場合、サービス提供者サーバ２０から転送するか、保証依頼書に送信先を付加しておいて仲介者サーバ３０が配信することも考えられる。
【００７０】
サービス提供者サーバ２０は、デジタル契約書を復号して、必要に応じて、デジタル契約書のデジタル署名の検証や、保証者情報に基づく保証者の確認と、第三者保証の内容確認を行う（ステップＡ１６）。これにより、注文者自身が要求された情報そのものを入力しなくても、保証者が預託された情報や取り決めから生成した情報を注文者に代わってサービス提供者サーバ２０に与えたことになる。
【００７１】
サービス提供者サーバ２０は、その後、サービスを実行する(ステップＡ１７)。
【００７２】
サービスの実行の前に、ユーザ端末１０でデジタル契約書を復号し、注文者が第三者保証の内容確認を行った後、改めてサービス実行を依頼することとしてもよい（ステップ（Ａ１６））。
【００７３】
最後に、仲介者サーバ３０と保証者サーバｂ４１は、保証料金決済情報に基づいて決済を行ない、それぞれ仲介料金と保証料金を得る（ステップＡ１８、ステップＡ１９）。ただし、仲介者サーバ３０の決済はデジタル契約書を送信以降いつでも行なってよいし、保証者サーバｂ４１の決済は回答送信後いつでも行なってよい。
【００７４】
上記の実施の形態によれば、保証付きの情報や第三者保証書を複数の保証者から同一手段で同時に入手できる。その理由は、仲介サーバが、一つにまとめた保証依頼書から、複数の保証者サーバに並行して保証を依頼し、すべての回答を集約した一つのデジタル契約書を作成するためである。
【００７５】
また、保証料金や仲介料金の決済が、第三者保証付き情報の入手と同時、かつ、一つの手段で行なえる。その理由は、仲介サーバが保証依頼書を受理する際に、全ての保証料金や仲介料金の総額を算出してまとめて代理決済し、各保証者サーバに合わせた支払い方法で料金を配分して決済するためである。これにより、小額で多数の保証料金をまとめて決済したり、保証サービスの提供期間によって定額化する等、仲介サーバの運営業者から保証者に対して多用な保証料金決済の選択肢を提供できるようになる効果もある。
【００７６】
また、重要な情報を開示する範囲を必要最小限にできる。その理由は、保証性を高めるため、あるいは、後のサービス実行に必要であるが悪用の危険等がある重要情報は、保証者にのみ解読できるように暗号化され、契約相手であるサービス提供者に通知する情報を、保証者によって、知られてもよい他の情報に変更するためである。
【００７７】
また、注文者が自己情報を入力する手間を省くことができる。その理由は、保証依頼書によって注文者自身の依頼であることを確認して安全を確保した上で、注文者の代わりに保証者サーバが預かった自己情報を提供できるためである。
【００７８】
また、契約者の自己情報の詐称が防止できる。その理由は、情報の正確さを第三者によって保証させることと、保証者サーバへのアクセス方法を本人以外の情報源から取得して偽の保証者を指定されることを防ぐためである。
【００７９】
また、契約者の事後否認を防止できる。その理由は、仲介サーバが契約者双方のデジタル署名のある保証依頼書や、第三者保証の結果を記したデジタル契約書を保管して、事後の照会に対して保管文書を証拠として提供することができるためである。
【００８０】
また、保証依頼書さえ発行しておけばユーザ端末が不在でも、権限証明要求の送信以降の処理を行なうことができる。この利点は、特に有効である。例えば、ユーザ端末から学校のサービス提供者サーバを通して、学外の委託試験の申し込みを行なう際に成績に関する保証依頼書を発行しておき、試験の後で、学校のサーバが委託試験先の保証者サーバから保証付きの成績情報を取得する、といった時間的に離れた処理をユーザの介在なしに連続実行することができる。
【００８１】
また、従来、保証される情報は権限証明要求情報に予め記述して送られ、権限保証サーバ等では、ユーザに関する情報を記入することはないため、ユーザ自身がその時点で保有していない情報やリアルタイムに変動する情報には適用できない問題があったが、保証者サーバが回答メッセージにユーザに関する情報を記入することが可能なため、そのような情報そのものをサービス提供者サーバに提供でき、従来よりも取り扱える情報が多く、また、ユーザ自身の入力も省ける優位点がある。例えば、後の行動によって決定される試験の成績情報等の時間的に離れた処理に関する処理である。
【００８２】
なお、上述する各実施の形態は、本発明の好適な実施の形態であり、本発明の要旨を逸脱しない範囲内において種々変更実施が可能である。例えば、上記の実施の形態におけるユーザ端末１０、サービス提供者サーバ２０、仲介者サーバ３０、保証者サーバａ４０および保証者サーバｂ４１の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００８３】
また、本発明によれば、サービス提供の契約情報を入力させるサービス申込装置や、ユーザ認証を行った後に本人の自己情報にアクセスできる情報管理装置から本人の代理で情報を引き出すプログラムといった用途に適用できる。さらに、本人認証や属性確認のために自己情報の開示を求める認証装置で自己情報隠蔽型の保証機能といった用途にも適用できる。
【図面の簡単な説明】
【００８４】
【図１】本発明の実施形態におけるサービス提供契約システムの概略構成図である。
【図２】本発明の実施形態におけるサービス提供契約の処理動作を示すシーケンス図である。
【図３】保証依頼書の一例を示す図である。
【図４】デジタル契約書の一例を示す図である。
【符号の説明】
【００８５】
１０    ユーザ端末
２０    サービス提供者サーバ
３０    仲介者サーバ
４０    保証者サーバａ
４１    保証者サーバｂ
１００    ネットワーク
【図１】
2006309328.tif 000003
【図２】
2006309328.tif 000004
【図３】
2006309328.tif 000005
【図４】
2006309328.tif 000006